(57)【要約】【課題】絵型を作成する際の元データである絵型データを自動的に作成することにより、絵型作成業務の作業効率を大幅に改善することができる絵型データ作成装置、絵型データ作成方法および絵型データ作成プログラムを提供することを課題とする。【解決手段】本実施形態では、（１）展示会コードと品種コードとブランドと国内外区分とを含む品種マスタを参照して、絵型ブック一括作成画面で指定された展示会コード、ブランドおよび国内外区分と紐付く品種コードを取得し、（２）品番コードと品種コードとを含む品番マスタを参照して、前記取得した品種コードと紐付く品番コードを取得し、（３）前記取得した品種コードと前記取得した品番コードと前記取得した品番コードに対応する品番の表示順とを含む絵型明細データを作成する。【選択図】図８
2019028842.tif 000002
【特許請求の範囲】
【請求項１】
商品を展示する展示会において使用する絵型を作成する際の元データである絵型データを作成するための、制御部および記憶部を備える絵型データ作成装置であって、
前記記憶部には、
前記商品が属する品番を識別するための品番識別データと前記品番が属する品種を識別するための品種識別データとを含む品番マスタと、
前記展示会を識別するための展示会識別データと前記品種識別データと前記品種のブランドを識別するためのブランド識別データと前記品種が国内ブランドであることを示す国内区分および海外ブランドであることを示す海外区分のいずれか一方を含む国内外区分データとを含む品種マスタと、
が格納されており、
前記制御部は、
前記品種マスタを参照して、絵型データ作成画面で指定された展示会識別データ、ブランド識別データおよび国内外区分データと紐付く品種識別データを取得する品種取得手段と、
前記品番マスタを参照して、前記品種取得手段で取得した品種識別データと紐付く品番識別データを取得する品番取得手段と、
前記品種取得手段で取得した品種識別データと前記品番取得手段で取得した品番識別データと前記品番取得手段で取得した品番識別データに対応する前記品番の表示順とを含む前記絵型データを作成する絵型データ作成手段と、
を備えること、
を特徴とする絵型データ作成装置。
【請求項２】
前記記憶部には、
前記品番識別データと前記品番の画像データとを含む品番画像マスタ
が更に格納されており、
前記制御部は、
前記品番画像マスタを参照して、前記作成した絵型データに含まれる品番識別データに対応する画像データを取得し、当該取得した画像データを、前記作成した絵型データに含まれる品種識別データ毎に、当該取得した画像データに対応する品番識別データと紐付く前記作成した絵型データに含まれる表示順に従って出力する出力手段
を更に備えること、
を特徴とする請求項１に記載の絵型データ作成装置。
【請求項３】
前記商品が、アパレル商品であり、
前記品番マスタは、前記品番に属する商品が定番品であることを示す定番区分および非定番品であることを示す非定番区分のいずれか一方を含む定番非定番区分データを更に含み、
前記記憶部には、
前記品番識別データと前記商品を識別するための商品識別データとを含む商品マスタと、
前記商品識別データと前記商品のカラーを識別するためのカラー識別データと前記商品のサイズを識別するためのサイズ識別データとを含む分類別特性設定マスタと、
が更に格納されており、
前記品番取得手段は、前記品番マスタを参照して、前記品種取得手段で取得した品種識別データおよび前記絵型データ作成画面で指定された定番非定番区分データと紐付く品番識別データを取得し、
前記制御部は、
前記商品マスタを参照して、前記品番取得手段で取得した品番識別データと紐付く商品識別データを取得する商品取得手段と、
前記分類別特性設定マスタを参照して、前記商品取得手段で取得した商品識別データと紐付くカラー識別データおよびサイズ識別データを取得するカラー等取得手段と、
を更に備え、
前記絵型データ作成手段は、前記カラー等取得手段で取得したカラー識別データおよびサイズ識別データを更に含む前記絵型データを作成すること、
を特徴とする請求項１または２に記載の絵型データ作成装置。
【請求項４】
前記品種マスタは、前記品種が発表される年度およびシーズンを更に含み、
前記品種取得手段は、前記品種マスタを参照して、前記絵型データ作成画面で指定された展示会識別データ、ブランド識別データ、国内外区分データ、年度およびシーズンと紐付く品種識別データを取得すること、
を特徴とする請求項３に記載の絵型データ作成装置。
【請求項５】
前記出力手段は、前記取得した画像データを、前記取得した画像データに対応する品番識別データと紐付く前記作成した絵型データに含まれるカラー識別データおよびサイズ識別データと共に出力すること、
を特徴とする請求項３または４に記載の絵型データ作成装置。
【請求項６】
前記制御部は、
品種編集手段を更に備えており、
前記品種編集手段は、
前記絵型データ作成画面で指定された品種識別データに関する情報を前記作成した絵型データに追加する品種追加手段
および
絵型データ登録画面で指定された品種識別データに関する情報を前記作成した絵型データから削除する品種削除手段
の少なくとも一方を備えること、
を特徴とする請求項１から５のいずれか１つに記載の絵型データ作成装置。
【請求項７】
前記制御部は、
品番編集手段を更に備えており、
前記品番編集手段は、
前記絵型データ登録画面で指定された品番識別データに関する情報を前記作成した絵型データから削除する品番削除手段
および
前記絵型データ登録画面で指定された品番識別データと紐付く前記作成した絵型データに含まれる前記表示順を変更する表示順変更手段
の少なくとも一方を備えること、
を特徴とする請求項１から６のいずれか１つに記載の絵型データ作成装置。
【請求項８】
商品を展示する展示会において使用する絵型を作成する際の元データである絵型データを作成するための、制御部および記憶部を備える情報処理装置で実行される絵型データ作成方法であって、
前記記憶部には、
前記商品が属する品番を識別するための品番識別データと前記品番が属する品種を識別するための品種識別データとを含む品番マスタと、
前記展示会を識別するための展示会識別データと前記品種識別データと前記品種のブランドを識別するためのブランド識別データと前記品種が国内ブランドであることを示す国内区分および海外ブランドであることを示す海外区分のいずれか一方を含む国内外区分データとを含む品種マスタと、
が格納されており、
前記制御部で実行される、
前記品種マスタを参照して、絵型データ作成画面で指定された展示会識別データ、ブランド識別データおよび国内外区分データと紐付く品種識別データを取得する品種取得ステップと、
前記品番マスタを参照して、前記品種取得ステップで取得した品種識別データと紐付く品番識別データを取得する品番取得ステップと、
前記品種取得ステップで取得した品種識別データと前記品番取得ステップで取得した品番識別データと前記品番取得ステップで取得した品番識別データに対応する前記品番の表示順とを含む前記絵型データを作成する絵型データ作成ステップと、
を含むこと、
を特徴とする絵型データ作成方法。
【請求項９】
商品を展示する展示会において使用する絵型を作成する際の元データである絵型データを作成するための、制御部および記憶部を備える情報処理装置に実行させるための絵型データ作成プログラムであって、
前記記憶部には、
前記商品が属する品番を識別するための品番識別データと前記品番が属する品種を識別するための品種識別データとを含む品番マスタと、
前記展示会を識別するための展示会識別データと前記品種識別データと前記品種のブランドを識別するためのブランド識別データと前記品種が国内ブランドであることを示す国内区分および海外ブランドであることを示す海外区分のいずれか一方を含む国内外区分データとを含む品種マスタと、
が格納されており、
前記制御部に実行させるための、
前記品種マスタを参照して、絵型データ作成画面で指定された展示会識別データ、ブランド識別データおよび国内外区分データと紐付く品種識別データを取得する品種取得ステップと、
前記品番マスタを参照して、前記品種取得ステップで取得した品種識別データと紐付く品番識別データを取得する品番取得ステップと、
前記品種取得ステップで取得した品種識別データと前記品番取得ステップで取得した品番識別データと前記品番取得ステップで取得した品番識別データに対応する前記品番の表示順とを含む前記絵型データを作成する絵型データ作成ステップと、
を含むこと、
を特徴とする絵型データ作成プログラム。
【発明の詳細な説明】
【技術分野】
【０００１】
本発明は、絵型データ作成装置、絵型データ作成方法および絵型データ作成プログラムに関する。
【背景技術】
【０００２】
特許文献１には、ネットワークに接続されたサーバと端末機とを利用して、販売者によるカタログ作成から受注までの業務を一連のものとして管理し、販売者と購入者との間での商品の売買をより促進する販売補助システムが開示されている（０００６段落等参照）。
【先行技術文献】
【特許文献】
【０００３】
【特許文献１】特開２０１５−０３５１１３号公報
【発明の概要】
【発明が解決しようとする課題】
【０００４】
このように商品を販売する際（特に、アパレル商品を販売する際）には、前記商品を展示会に展示することがある。前記展示会においては、従来、前記商品の購入希望者が、商品のサイズ、型番号、色および価格等が記載されたオーダーシート（いわゆる絵型）に、購入したい商品数量を記入することにより、オーダーを行っていた。
【０００５】
しかしながら、前記展示会の開催に伴う前記絵型を作成する業務は、従来、手作業で行われていたために、業務の作業効率に改善の余地があった。
【０００６】
本発明は、上記に鑑みてなされたものであって、絵型を作成する際の元データである絵型データを自動的に作成することにより、絵型作成業務の作業効率を大幅に改善することができる絵型データ作成装置、絵型データ作成方法および絵型データ作成プログラムを提供する。
【課題を解決するための手段】
【０００７】
上述した課題を解決し、目的を達成するために、本発明に係る絵型データ作成装置は、商品を展示する展示会において使用する絵型を作成する際の元データである絵型データを作成するための、制御部および記憶部を備える絵型データ作成装置であって、前記記憶部には、前記商品が属する品番を識別するための品番識別データと前記品番が属する品種を識別するための品種識別データとを含む品番マスタと、前記展示会を識別するための展示会識別データと前記品種識別データと前記品種のブランドを識別するためのブランド識別データと前記品種が国内ブランドであることを示す国内区分および海外ブランドであることを示す海外区分のいずれか一方を含む国内外区分データとを含む品種マスタと、が格納されており、前記制御部は、前記品種マスタを参照して、絵型データ作成画面で指定された展示会識別データ、ブランド識別データおよび国内外区分データと紐付く品種識別データを取得する品種取得手段と、前記品番マスタを参照して、前記品種取得手段で取得した品種識別データと紐付く品番識別データを取得する品番取得手段と、前記品種取得手段で取得した品種識別データと前記品番取得手段で取得した品番識別データと前記品番取得手段で取得した品番識別データに対応する前記品番の表示順とを含む前記絵型データを作成する絵型データ作成手段と、を備えること、を特徴とする。
【０００８】
また、本発明に係る絵型データ作成装置は、前記記憶部には、前記品番識別データと前記品番の画像データとを含む品番画像マスタが更に格納されており、前記制御部は、前記品番画像マスタを参照して、前記作成した絵型データに含まれる品番識別データに対応する画像データを取得し、当該取得した画像データを、前記作成した絵型データに含まれる品種識別データ毎に、当該取得した画像データに対応する品番識別データと紐付く前記作成した絵型データに含まれる表示順に従って出力する出力手段を更に備えること、を特徴とする。
【０００９】
また、本発明に係る絵型データ作成装置は、前記商品が、アパレル商品であり、前記品番マスタは、前記品番に属する商品が定番品であることを示す定番区分および非定番品であることを示す非定番区分のいずれか一方を含む定番非定番区分データを更に含み、前記記憶部には、前記品番識別データと前記商品を識別するための商品識別データとを含む商品マスタと、前記商品識別データと前記商品のカラーを識別するためのカラー識別データと前記商品のサイズを識別するためのサイズ識別データとを含む分類別特性設定マスタと、が更に格納されており、前記品番取得手段は、前記品番マスタを参照して、前記品種取得手段で取得した品種識別データおよび前記絵型データ作成画面で指定された定番非定番区分データと紐付く品番識別データを取得し、前記制御部は、前記商品マスタを参照して、前記品番取得手段で取得した品番識別データと紐付く商品識別データを取得する商品取得手段と、前記分類別特性設定マスタを参照して、前記商品取得手段で取得した商品識別データと紐付くカラー識別データおよびサイズ識別データを取得するカラー等取得手段と、を更に備え、前記絵型データ作成手段は、前記カラー等取得手段で取得したカラー識別データおよびサイズ識別データを更に含む前記絵型データを作成すること、を特徴とする。
【００１０】
また、本発明に係る絵型データ作成装置は、前記品種マスタが、前記品種が発表される年度およびシーズンを更に含み、前記品種取得手段は、前記品種マスタを参照して、前記絵型データ作成画面で指定された展示会識別データ、ブランド識別データ、国内外区分データ、年度およびシーズンと紐付く品種識別データを取得すること、を特徴とする。
【００１１】
また、本発明に係る絵型データ作成装置は、前記出力手段が、前記取得した画像データを、前記取得した画像データに対応する品番識別データと紐付く前記作成した絵型データに含まれるカラー識別データおよびサイズ識別データと共に出力すること、を特徴とする。
【００１２】
また、本発明に係る絵型データ作成装置は、前記制御部が、品種編集手段を更に備えており、前記品種編集手段は、前記絵型データ作成画面で指定された品種識別データに関する情報を前記作成した絵型データに追加する品種追加手段および絵型データ登録画面で指定された品種識別データに関する情報を前記作成した絵型データから削除する品種削除手段の少なくとも一方を備えること、を特徴とする。
【００１３】
また、本発明に係る絵型データ作成装置は、前記制御部が、品番編集手段を更に備えており、前記品番編集手段は、前記絵型データ登録画面で指定された品番識別データに関する情報を前記作成した絵型データから削除する品番削除手段および前記絵型データ登録画面で指定された品番識別データと紐付く前記作成した絵型データに含まれる前記表示順を変更する表示順変更手段の少なくとも一方を備えること、を特徴とする。
【００１４】
また、本発明に係る絵型データ作成方法は、商品を展示する展示会において使用する絵型を作成する際の元データである絵型データを作成するための、制御部および記憶部を備える情報処理装置で実行される絵型データ作成方法であって、前記記憶部には、前記商品が属する品番を識別するための品番識別データと前記品番が属する品種を識別するための品種識別データとを含む品番マスタと、前記展示会を識別するための展示会識別データと前記品種識別データと前記品種のブランドを識別するためのブランド識別データと前記品種が国内ブランドであることを示す国内区分および海外ブランドであることを示す海外区分のいずれか一方を含む国内外区分データとを含む品種マスタと、が格納されており、前記制御部で実行される、前記品種マスタを参照して、絵型データ作成画面で指定された展示会識別データ、ブランド識別データおよび国内外区分データと紐付く品種識別データを取得する品種取得ステップと、前記品番マスタを参照して、前記品種取得ステップで取得した品種識別データと紐付く品番識別データを取得する品番取得ステップと、前記品種取得ステップで取得した品種識別データと前記品番取得ステップで取得した品番識別データと前記品番取得ステップで取得した品番識別データに対応する前記品番の表示順とを含む前記絵型データを作成する絵型データ作成ステップと、を含むこと、を特徴とする。
【００１５】
また、本発明に係る絵型データ作成プログラムは、商品を展示する展示会において使用する絵型を作成する際の元データである絵型データを作成するための、制御部および記憶部を備える情報処理装置に実行させるための絵型データ作成プログラムであって、前記記憶部には、前記商品が属する品番を識別するための品番識別データと前記品番が属する品種を識別するための品種識別データとを含む品番マスタと、前記展示会を識別するための展示会識別データと前記品種識別データと前記品種のブランドを識別するためのブランド識別データと前記品種が国内ブランドであることを示す国内区分および海外ブランドであることを示す海外区分のいずれか一方を含む国内外区分データとを含む品種マスタと、が格納されており、前記制御部に実行させるための、前記品種マスタを参照して、絵型データ作成画面で指定された展示会識別データ、ブランド識別データおよび国内外区分データと紐付く品種識別データを取得する品種取得ステップと、前記品番マスタを参照して、前記品種取得ステップで取得した品種識別データと紐付く品番識別データを取得する品番取得ステップと、前記品種取得ステップで取得した品種識別データと前記品番取得ステップで取得した品番識別データと前記品番取得ステップで取得した品番識別データに対応する前記品番の表示順とを含む前記絵型データを作成する絵型データ作成ステップと、を含むこと、を特徴とする。
【発明の効果】
【００１６】
本発明によれば、絵型を作成する際の元データである絵型データを自動的に作成することにより、絵型作成業務の作業効率を大幅に改善することができるという効果を奏する。
【図面の簡単な説明】
【００１７】
【図１】図１は、絵型データ作成装置の構成の一例を示すブロック図である。
【図２】図２は、本実施形態に係る業務フローの一例を示す図である。
【図３】図３は、印刷された絵型ブックの一例を示す図である。
【図４】図４は、本実施形態に係る処理フローの一例を示す図である。
【図５】図５は、商品系マスタおよび絵型データにおけるデータ構造例を示す図である。
【図６】図６は、定番品に関する絵型データを作成する場合の絵型ブック一括作成画面の一例を示す図である。
【図７】図７は、定番品に関する絵型データの作成過程の一例を示す図である。
【図８】図８は、作成された定番品に関する絵型データおよびこれを基にして印刷された絵型ブックの一例を示す図である。
【図９】図９は、非定番品に関する絵型データを作成する場合の絵型ブック一括作成画面の一例を示す図である。
【図１０】図１０は、非定番品に関する絵型データの作成過程の一例を示す図である。
【図１１】図１１は、作成された非定番品に関する絵型データおよびこれを基にして印刷された絵型ブックの一例を示す図である。
【図１２】図１２は、品種追加修正を行う場合の絵型ブック一括作成画面の一例を示す図である。
【図１３】図１３は、品種追加修正の前後それぞれにおける絵型データの一例を示す図である。
【図１４】図１４は、品種削除修正を行う場合の絵型ブック登録画面の一例を示す図である。
【図１５】図１５は、品種削除修正の前後それぞれにおける絵型データの一例を示す図である。
【図１６】図１６は、品番削除修正および品番表示順変更修正を行う場合の絵型ブック登録画面の一例を示す図である。
【図１７】図１７は、品番削除修正および品番表示順変更修正の前後それぞれにおける絵型データの一例を示す図である。
【発明を実施するための形態】
【００１８】
以下に、本発明に係る絵型データ作成装置、絵型データ作成方法および絵型データ作成プログラムの実施形態を、図面に基づいて詳細に説明する。なお、本実施形態によりこの発明が限定されるものではない。
【００１９】
［１．概要］
商品を販売する際（特に、アパレル商品を販売する際）には、前記商品を展示会に展示することがある。前記展示会の開催に伴い、商品のサイズ、型番号、色および価格等が記載されたカタログ（「絵型」と呼ばれる）を作成する必要がある。従来、絵型の作成は手作業で行われており、また、廃盤商品が発生した場合や商品の表示の順番を変更したい場合には、商品の外観等を紙に印刷し、当該印刷後の紙を絵型に貼り付けることで、絵型の編集が行われていた。要するに、従来は、絵型の作成業務および編集業務は手作業により行われていたため、これら業務の作業効率には改善の余地があった。
【００２０】
そこで、本実施形態においては、事前に登録した商品系マスタの情報をもとに、絵型データを自動作成できる仕組みを確立し、更に、作成した絵型データの画面上での編集も可能とした。以下、具体的な構成および動作について説明する。
【００２１】
［２．構成］
本実施形態に係る絵型データ作成装置１００の構成について、図１を用いて説明する。図１は、絵型データ作成装置１００の構成の一例を示すブロック図である。
【００２２】
絵型データ作成装置１００は、市販のデスクトップ型パーソナルコンピュータである。なお、絵型データ作成装置１００は、デスクトップ型パーソナルコンピュータのような据置型情報処理装置に限らず、市販されているノート型パーソナルコンピュータ、ＰＤＡ（Ｐｅｒｓｏｎａｌ  Ｄｉｇｉｔａｌ  Ａｓｓｉｓｔａｎｔｓ）、スマートフォン、タブレット型パーソナルコンピュータなどの携帯型情報処理装置であってもよい。
【００２３】
絵型データ作成装置１００は、図１に示すように、制御部１０２と通信インターフェース部１０４と記憶部１０６と入出力インターフェース部１０８と、を備えている。絵型データ作成装置１００が備えている各部は、任意の通信路を介して通信可能に接続されている。
【００２４】
通信インターフェース部１０４は、ルータ等の通信装置および専用線等の有線または無線の通信回線を介して、絵型データ作成装置１００をネットワーク３００に通信可能に接続する。通信インターフェース部１０４は、他の装置と通信回線を介してデータを通信する機能を有する。ここで、ネットワーク３００は、絵型データ作成装置１００とサーバ２００とを相互に通信可能に接続する機能を有し、例えばインターネットやＬＡＮ（Ｌｏｃａｌ  Ａｒｅａ  Ｎｅｔｗｏｒｋ）等である。なお、後述する記憶部１０６に格納されるデータは、サーバ２００に格納されてもよい。
【００２５】
入出力インターフェース部１０８には、入力装置１１２および出力装置１１４が接続されている。出力装置１１４には、モニタ（家庭用テレビを含む）の他、スピーカやプリンタを用いることができる。入力装置１１２には、キーボード、マウス、およびマイクの他、マウスと協働してポインティングデバイス機能を実現するモニタを用いることができる。なお、以下では、出力装置１１４を、表示部としてのモニタ１１４とし、入力装置１１２をキーボード１１２またはマウス１１２として記載する場合がある。
【００２６】
記憶部１０６には、各種のデータベース、テーブル、およびファイルなどが格納される。記憶部１０６には、ＯＳ（Ｏｐｅｒａｔｉｎｇ  Ｓｙｓｔｅｍ）と協働してＣＰＵ（Ｃｅｎｔｒａｌ  Ｐｒｏｃｅｓｓｉｎｇ  Ｕｎｉｔ）に命令を与えて各種処理を行うためのコンピュータプログラムが記録される。記憶部１０６として、例えば、ＲＡＭ（Ｒａｎｄｏｍ  Ａｃｃｅｓｓ  Ｍｅｍｏｒｙ）・ＲＯＭ（Ｒｅａｄ  Ｏｎｌｙ  Ｍｅｍｏｒｙ）等のメモリ装置、ハードディスクのような固定ディスク装置、フレキシブルディスク、および光ディスク等を用いることができる。
【００２７】
記憶部１０６は、商品系マスタである品種分類マスタ１０６ａ、品種マスタ１０６ｂ、品番マスタ１０６ｃ、品番画像マスタ１０６ｄ、商品マスタ１０６ｅおよび分類別特性設定マスタ１０６ｆ、ならびに、絵型データである絵型ヘッダデータ１０６ｇおよび絵型明細データ１０６ｈを備えている。これらのうち、品種マスタ１０６ｂ、品番マスタ１０６ｃおよび絵型明細データ１０６ｈ以外は、任意の構成要素であり、記憶部１０６に含まれていても含まれていなくてもよい。
【００２８】
本実施形態において、商品は、いかなるものであってもよく、例えば、アパレル商品、靴、宝石およびアクセサリー等があげられ、中でも、アパレル商品が好ましい。このため、以下においては、商品がアパレル商品であると仮定して説明を進める。また、商品は、年度およびシーズンに関係なく展示会に並ぶもの（いわゆる定番品）であってもよいし、年度およびシーズン毎に発表され新商品として展示会に並ぶもの（いわゆる非定番品）であってもよい。
【００２９】
ここで、本実施形態における処理の概略を、図２、図３および図４を用いて説明する。図２は、本実施形態に係る業務フローの一例を示す図である。図３は、印刷された絵型ブックの一例を示す図である。図４は、本実施形態に係る処理フローの一例を示す図である。
【００３０】
図２に示すように、本実施形態に係る業務フローは商品企画から始まる。続いて、商品系マスタを基にして、絵型ブック一括作成画面を通して、絵型データが作成される。作成された絵型データは、絵型ブック登録画面を通して、編集することができる。編集された絵型データは、印刷されて絵型ブックとなり、展示会で使用される。展示会終了後、受注入力および数出ミーティングを経て、後工程へと進む。後工程とは、例えば、各店舗および各得意先に対してどれだけの商品を出荷するかを、商品の生産数および納期ならびに展示会での受注数等を基に判断する工程である。
【００３１】
図３に示すように、絵型ブックにおいては、品種（図３では、ＺＺ０１品種）毎に、当該品種内の品番（図３では、７種類の品番）の画像が各々のマトリックスに印刷される。各画像の下の網目状のマトリックスにおいて、横列の番号（例えば、図３の左上の品番ＺＺ００ＡＡ００１の画像の場合、０２と０４）は、各品番のサイズを表し、縦列の番号（例えば、図３の左上の品番ＺＺ００ＡＡ００１の画像の場合、０１と０４と０６と１０と１２）は、各品番のカラーを表す。
【００３２】
図４に示すように、商品系マスタにおける品種マスタ１０６ｂ（素材マスタ）および品番マスタ１０６ｃを基にして、絵型ブック一括作成画面を通して、絵型データ（絵型ヘッダデータ１０６ｇおよび絵型明細データ１０６ｈ）が作成される。また、絵型ブック一括作成画面を通して、作成した絵型データへの品番の追加（差分作成）をすることが可能である。作成された絵型データの修正が不要な場合、絵型データが印刷されて、絵型ブックが作成される。これに対して、作成された絵型データの修正が必要な場合、絵型ブック登録画面を通して、廃盤商品の除外や表示レイアウト（表示順）の変更をでき、またこの他にも、納期や組成情報等の絵型ブックに印字される情報の編集も行うことができる（従来は、当該変更および当該編集の際、印刷した紙を切り貼りすることで絵型の編集を行うというアナログな対応をしていた）。編集が済んだ絵型データは、印刷されて、絵型ブックが作成される。作成された絵型ブックは、展示会で使用される。
【００３３】
以下、各マスタおよび各データの構成例について、図５を用いて詳細に説明する。
【００３４】
品種分類マスタ１０６ａは、商品の大分類を示す品種分類に関する情報を保持するためのマスタである。品種分類の例としては、例えば、トップス、バッグおよびシューズ等があげられる。品種分類マスタ１０６ａは、図５に示すように、例えば、品種分類を識別するための品種分類識別データ（品種分類コードおよび品種分類名）を含む。
【００３５】
品種マスタ１０６ｂは、商品の中分類を示す品種に関する情報を保持するためのマスタである。品種は、品種分類を更に細分化したものであり、言い換えると、品種分類に属するものである。品種の例としては、品種分類がトップスである場合、例えば、Ｔシャツ、シャツおよびカーディガン等があげられる。品種マスタ１０６ｂは、例えば、商品を展示する展示会を識別するための展示会識別データ（展示会コード）や、図５に示すように、品種を識別するための品種識別データ（品種コードおよび品種名）、品種分類識別データ（品種分類コード）、品種の並び順を指定するための並び順、品種のブランドを識別するためのブランド識別データ（ブランド）、品種が発表される年度およびシーズン、品種が国内ブランドであることを示す国内区分および海外ブランドであることを示す海外区分のいずれか一方を含む国内外区分データ（国内外区分）、品種の組成情報、品種が納品されるべき納期および品種の原産国等を含む。
【００３６】
品番マスタ１０６ｃは、品番に関する情報を保持するためのマスタである。品番は、品種を更に細分化したものであり、言い換えると、品種に属するものである。品番の例としては、品種がＴシャツである場合、例えば、同じ形および同じデザイン等で定義される特定のＴシャツがあげられる。「品番」は、カラーやサイズなどの特性の違いを区別しない概念であるため、同じ形および同じデザインでカラー違いやサイズ違いのＴシャツ同士は、同じ品番に属することとなる。これに対して、後述する「商品」は、カラーやサイズなどの特性の違いを区別する概念である。品番マスタ１０６ｃは、図５に示すように、例えば、品番を識別するための品番識別データ（品番コードおよび品番名）、品種識別データ（品種コード）、ある品番に属する商品が定番品であることを示す定番区分および非定番品であることを示す非定番区分のいずれか一方を含む定番非定番区分データ（定番品区分）および上代単価等を含む。
【００３７】
品番画像マスタ１０６ｄは、品番の画像データを保持するためのマスタである。品番画像マスタ１０６ｄは、図５に示すように、例えば、品番識別データ（品番コード）および品番の画像データ（画像ファイル）等を含む。
【００３８】
商品マスタ１０６ｅは、商品に関する情報を保持するためのマスタである。商品は、品番を更に細分化したものであり、言い換えると、品番に属するものである。商品は、前述のとおり、カラーやサイズなどの特性の違いを区別する概念であるため、同じ形および同じデザインを有するＴシャツであっても、白のＴシャツと黒のＴシャツ（カラー違い）は互いに異なる商品となり、また、ＳサイズのＴシャツとＭサイズのＴシャツ（サイズ違い）も互いに異なる商品となる。商品マスタ１０６ｅは、図５に示すように、例えば、商品を識別するための商品識別データ（商品コードおよび商品名）および品番識別データ（品番コード）等を含む。
【００３９】
分類別特性設定マスタ１０６ｆは、商品の特性（カラーおよびサイズ等）を保持するためのマスタである。分類別特性設定マスタ１０６ｆは、図５に示すように、例えば、商品識別データ（商品コード）、商品のカラーを識別するためのカラー識別データ（カラー）および商品のサイズを識別するためのサイズ識別データ（サイズ）等を含む。
【００４０】
絵型データ（絵型ヘッダデータ１０６ｇおよび絵型明細データ１０６ｈ）は、前記展示会において使用する絵型を作成するための元データであって、商品系マスタを基にして作成される。
【００４１】
絵型ヘッダデータ１０６ｇは、商品に関する基本情報を保持するデータである。絵型ヘッダデータ１０６ｇは、図５に示すように、例えば、展示会識別データ（展示会コード）、品種識別データ（品種コード）、ブランド識別データ（ブランド）、年度、シーズン、国内外区分データ（国内外区分）、定番非定番区分データ（定番品区分）、納期、原産国、組成情報、カラー識別データ（カラー）および摘要等を含む。
【００４２】
絵型明細データ１０６ｈは、商品に関する詳細情報を保持するデータである。絵型明細データ１０６ｈは、図５に示すように、例えば、展示会識別データ（展示会コード）、品種識別データ（品種コード）、品番識別データ（品番コード）、カラー識別データ、サイズ識別データ（サイズ）および品番識別データ（品番コード）に対応する品番の表示順等を含む。表示順の性質については、次段落および次々段落で詳細に説明する。
【００４３】
表示順と絵型ブックとの関係について説明する。表示順は、絵型ブックにおける各マス目の位置に対応しており、図１１に示す絵型ブックの場合、上段の５マスは左から順に表示順１〜５に対応し、下段の５マスは左から順に表示順６〜１０に対応する。このため、図１１の絵型明細データ１０６ｈにおいて表示順１に対応する品番コード「ＸＸ０１ＡＡ００２」の品番は、図１１の絵型ブック上段の左から１マス目に表示され、また、表示順２に対応する品番コード「ＸＸ０１ＡＡ００３」の品番は、図１１の絵型ブック上段の左から２マス目に表示される。なお、図１１の絵型明細データ１０６ｈにおいて表示順３に対応する品番コード「ＸＸ０２ＡＡ００１」の品番は、別の品種に属するため、図示していないが、別頁または別画面の絵型ブック上段の左から３マス目に表示され、また、表示順４に対応する品番コード「ＸＸ０２ＡＡ００２」の品番も、別の品種に属するため、図示していないが、別頁または別画面の絵型ブック上段の左から４マス目に表示される（つまり、別頁または別画面の絵型ブック上段の左から１マス目および２マス目は空欄となる）。
【００４４】
表示順の採番の仕方について説明する。表示順は、例えば、図１１の絵型明細データ１０６ｈに示すように品番コードの若い順に１番から通し番号で採番してもよいし（すなわち、品種の違いを考慮しない）、または、品種内で品番コードの若い順に１番から採番してもよい（すなわち、品種の違いを考慮する）。後者の採番の場合、例えば、図１１の絵型明細データ１０６ｈにおいて、品種コード「ＸＸ００００２」に属する品番コード「ＸＸ０２ＡＡ００１」の品番および品番コード「ＸＸ０２ＡＡ００２」の品番は、それぞれ、表示順３および４ではなく、表示順１および２が採番される。この場合、品番コード「ＸＸ０２ＡＡ００１」の品番は、前段落で説明した別頁または別画面の絵型ブックの上段の左から１マス目に表示され、また、品番コード「ＸＸ０２ＡＡ００２」の品番は、前段落で説明した別頁または別画面の絵型ブックの上段の左から２マス目に表示される（つまり、別頁または別画面の絵型ブック上段の左から３マス目および４マス目は空欄となる）。
【００４５】
制御部１０２は、絵型データ作成装置１００を統括的に制御するＣＰＵ等である。制御部１０２は、ＯＳ等の制御プログラム・各種の処理手順等を規定したプログラム・所要データなどを格納するための内部メモリを有し、格納されているこれらのプログラムに基づいて種々の情報処理を実行する。
【００４６】
制御部１０２は、機能概念的に、（１）前記品種マスタを参照して、絵型データ作成画面で指定された展示会識別データ、ブランド識別データおよび国内外区分データと紐付く品種識別データを取得する品種取得手段としての品種取得部１０２ａと、（２）前記品番マスタを参照して、前記品種取得手段で取得した品種識別データと紐付く品番識別データを取得する品番取得手段としての品番取得部１０２ｂと、（３）前記商品マスタを参照して、前記品番取得手段で取得した品番識別データと紐付く商品識別データを取得する商品取得手段としての商品取得部１０２ｃと、（４）前記分類別特性設定マスタを参照して、前記商品取得手段で取得した商品識別データと紐付くカラー識別データおよびサイズ識別データを取得するカラー等取得手段としてのカラー等取得部１０２ｄと、（５）前記品種取得手段で取得した品種識別データと前記品番取得手段で取得した品番識別データと前記品番取得手段で取得した品番識別データに対応する前記品番の表示順とを含む前記絵型データを作成する絵型データ作成手段としての絵型データ作成部１０２ｅと、（６）前記品番画像マスタを参照して、前記作成した絵型データに含まれる品番識別データに対応する画像データを取得し、当該取得した画像データを、前記作成した絵型データに含まれる品種識別データ毎に、当該取得した画像データに対応する品番識別データと紐付く前記作成した絵型データに含まれる表示順に従って出力する出力手段としての出力部１０２ｆと、（７）品種編集手段としての品種編集部１０２ｇと、（８）前記絵型データ作成画面で指定された品種識別データに関する情報を前記作成した絵型データに追加する品種追加手段としての品種追加部１０２ｇ１と、（９）絵型データ登録画面で指定された品種識別データに関する情報を前記作成した絵型データから削除する品種削除手段としての品種削除部１０２ｇ２と、（１０）品番編集手段としての品番編集部１０２ｈと、（１１）前記絵型データ登録画面で指定された品番識別データに関する情報を前記作成した絵型データから削除する品番削除手段としての品番削除部１０２ｈ１と、（１２）前記絵型データ登録画面で指定された品番識別データと紐付く前記作成した絵型データに含まれる前記表示順を変更する表示順変更手段としての表示順変更部１０２ｈ２と、を備えている。これらのうち、品種取得部１０２ａ、品番取得部１０２ｂおよび絵型データ作成部１０２ｅ以外は、任意の構成要素であり、制御部１０２に含まれていても含まれていなくてもよい。
【００４７】
品種取得部１０２ａは、品種マスタ１０６ｂを参照して、絵型データ作成画面（絵型ブック一括作成画面）で指定された展示会識別データ（展示会コード）、ブランド識別データ（ブランド）および国内外区分データ（国内外区分）と紐付く品種識別データ（品種コード）を取得する。品種が年度およびシーズンごとに発表されるものである場合（すなわち、品種マスタ１０６ｂが年度およびシーズンを含む場合）、品種取得部１０２ａは、品種マスタ１０６ｂを参照して、絵型データ作成画面（絵型ブック一括作成画面）で指定された展示会識別データ（展示会コード）、ブランド識別データ（ブランド）、国内外区分データ（国内外区分）、年度およびシーズンと紐付く品種識別データ（品種コード）を取得してもよい。
【００４８】
品番取得部１０２ｂは、品番マスタ１０６ｃを参照して、品種取得部１０２ａで取得した品種識別データ（品種コード）と紐付く品番識別データ（品番コード）を取得する。アパレル商品のように、商品の中に定番品と非定番品とが存在する場合、品番取得部１０２ｂは、品番マスタ１０６ｃを参照して、品種取得部１０２ａで取得した品種識別データ（品種コード）および絵型データ作成画面（絵型ブック一括作成画面）で指定された定番非定番区分データ（定番品区分）と紐付く品番識別データ（品番コード）を取得してもよい。
【００４９】
商品取得部１０２ｃは、商品マスタ１０６ｅを参照して、品番取得部１０２ｂで取得した品番識別データ（品番コード）と紐付く商品識別データ（商品コード）を取得する。
【００５０】
カラー等取得部１０２ｄは、分類別特性設定マスタ１０６ｆを参照して、商品取得部１０２ｃで取得した商品識別データ（商品コード）と紐付くカラー識別データ（カラー）およびサイズ識別データ（サイズ）を取得する。
【００５１】
絵型データ作成部１０２ｅは、品種取得部１０２ａで取得した品種識別データ（品種コード）と品番取得部１０２ｂで取得した品番識別データ（品番コード）と品番取得部１０２ｂで取得した品番識別データ（品番コード）に対応する品番の表示順とを含む絵型データを作成する。商品にカラーおよびサイズがあるものである場合、絵型データ作成部１０２ｅは、カラー等取得部１０２ｄで取得したカラー識別データ（カラー）およびサイズ識別データ（サイズ）を更に含む絵型データを作成してもよい。
【００５２】
出力部１０２ｆは、品番画像マスタ１０６ｄを参照して、前記作成した絵型データに含まれる品番識別データ（品番コード）に対応する画像データ（画像ファイル）を取得し、当該取得した画像データ（画像ファイル）を、前記作成した絵型データに含まれる品種識別データ（品種コード）毎に、当該取得した画像データ（画像ファイル）に対応する品番識別データ（品番コード）と紐付く前記作成した絵型データに含まれる表示順に従って出力する。商品にカラーおよびサイズがあるものである場合、出力部１０２ｆは、前記取得した画像データ（画像ファイル）を、前記取得した画像データ（画像ファイル）に対応する品番識別データ（品番コード）と紐付く前記作成した絵型データに含まれるカラー識別データ（カラー）およびサイズ識別データ（サイズ）と共に出力してもよい。
【００５３】
品種編集部１０２ｇは、品種追加部１０２ｇ１および品種削除部１０２ｇ２の少なくとも一方を備えている。品種追加部１０２ｇ１は、絵型データ作成画面（絵型ブック一括作成画面）で指定された品種識別データ（品種コード）に関する情報を前記作成した絵型データに追加する。品種削除部１０２ｇ２は、絵型データ登録画面（絵型ブック登録画面）で指定された品種識別データ（品種コード）に関する情報を前記作成した絵型データから削除する。
【００５４】
品番編集部１０２ｈは、品番削除部１０２ｈ１および表示順変更部１０２ｈ２の少なくとも一方を備えている。品番削除部１０２ｈ１は、絵型データ登録画面（絵型ブック登録画面）で指定された品番識別データ（品番コード）に関する情報を前記作成した絵型データから削除する。表示順変更部１０２ｈ２は、絵型データ登録画面（絵型ブック登録画面）で指定された品番識別データ（品番コード）と紐付く前記作成した絵型データに含まれる前記表示順を変更する。
【００５５】
［３．処理の具体例］
以下、本実施形態に係る処理の具体例について説明する。本実施形態に係る処理は、絵型データ作成処理と絵型データ編集処理とに大別される。更に、絵型データ作成処理は、［３−１］定番品に関する絵型データ作成処理と［３−２］非定番品に関する絵型データ作成処理とに分かれ、絵型データ編集処理は、［３−３］品種追加処理と［３−４］品種削除処理と［３−５］品番削除処理および品番表示順変更処理とに分かれる。このため、以下、［３−１］〜［３−５］の順に項目立てて説明する。
【００５６】
［３−１．定番品に関する絵型データ作成処理］
本項目では、定番品に関する絵型データ作成処理について、図６〜８を用いて詳細に説明する。例えば、オペレータが以下に示す条件を図６に示す絵型ブック一括作成画面で指定して、「作成」ボタンを選択すると、以下の（品種取得処理）〜（絵型データ作成処理）が実行され絵型データを作成することができる。
（条件）
定番品区分：定番品
展示会コード：ＭＭ１６ＡＷＤＯＭ
ブランド：ＭＭ
国内外区分：国内
【００５７】
（品種取得処理）
まず、品種取得部１０２ａは、品種マスタ１０６ｂを参照して、絵型データ作成画面（絵型ブック一括作成画面）で指定された展示会識別データ（展示会コード）、ブランド識別データ（ブランド）および国内外区分データ（国内外区分）と紐付く品種識別データ（品種コード）を取得する。
【００５８】
具体的には、図７の品種マスタ１０６ｂ（展示会コードは図示していないが、すべてのレコードが展示会コードＭＭ１６ＡＷＤＯＭを有すると仮定する）を参照すると、指定された展示会コード（ＭＭ１６ＡＷＤＯＭ）、ブランド（ＭＭ）および国内外区分（国内）を有するレコードは、「指定条件に一致」と記した２行のレコードである。このようにして、品種取得部１０２ａは、当該２つのレコードに含まれる品種コード「ＭＭ００００１」および「ＭＭ００００２」を取得する。
【００５９】
（品番取得処理）
続いて、品番取得部１０２ｂは、品番マスタ１０６ｃを参照して、品種取得部１０２ａで取得した品種識別データ（品種コード）および絵型データ作成画面（絵型ブック一括作成画面）で指定された定番非定番区分データ（定番品区分）と紐付く品番識別データ（品番コード）を取得する。
【００６０】
具体的には、図７の品番マスタ１０６ｃを参照すると、品種取得部１０２ａで取得した品種コード（ＭＭ００００１およびＭＭ００００２）および指定された定番品区分（定番品）を有するレコードは、品番コード「ＭＭ０１ＡＡ００１」を有するレコードと品番コード「ＭＭ０１ＡＡ００２」を有するレコードの２つである。このようにして、品番取得部１０２ｂは、当該２つのレコードに含まれる品番コード「ＭＭ０１ＡＡ００１」および「ＭＭ０１ＡＡ００２」を取得する。
【００６１】
（商品取得処理）
続いて、商品取得部１０２ｃは、商品マスタ１０６ｅを参照して、品番取得部１０２ｂで取得した品番識別データ（品番コード）と紐付く商品識別データ（商品コード）を取得する。
【００６２】
具体的には、図７の商品マスタ１０６ｅを参照すると、品番取得部１０２ｂで取得した品番コードのうち、ＭＭ０１ＡＡ００２を有するレコードは、商品マスタ１０６ｅに示した４つのレコードすべてである。このようにして、商品取得部１０２ｃは、商品コード「ＭＭ０１ＡＡ００２０１０１」、「ＭＭ０１ＡＡ００２０１０３」、「ＭＭ０１ＡＡ００２０５０１」および「ＭＭ０１ＡＡ００２０５０３」を取得する。
【００６３】
（カラー等取得処理）
続いて、カラー等取得部１０２ｄは、分類別特性設定マスタ１０６ｆを参照して、商品取得部１０２ｃで取得した商品識別データ（商品コード）と紐付くカラー識別データ（カラー）およびサイズ識別データ（サイズ）を取得する。
【００６４】
具体的には、図７の分類別特性設定マスタ１０６ｆに示すように、カラー等取得部１０２ｄは、商品取得部１０２ｃで取得した商品コード「ＭＭ０１ＡＡ００２０１０１」、「ＭＭ０１ＡＡ００２０１０３」、「ＭＭ０１ＡＡ００２０５０１」および「ＭＭ０１ＡＡ００２０５０３」と紐付くカラーおよびサイズとして、それぞれ、「カラー０１、サイズ０１」、「カラー０１、サイズ０３」、「カラー０５、サイズ０１」および「カラー０５、サイズ０３」を取得する。
【００６５】
（絵型データ作成処理）
続いて、絵型データ作成部１０２ｅは、品種取得部１０２ａで取得した品種識別データ（品種コード）と品番取得部１０２ｂで取得した品番識別データ（品番コード）と品番取得部１０２ｂで取得した品番識別データ（品番コード）に対応する品番の表示順とカラー等取得部１０２ｄで取得したカラー識別データ（カラー）およびサイズ識別データ（サイズ）とを含む絵型明細データ１０６ｈを、図８に示すように作成する。
【００６６】
図８の絵型明細データ１０６ｈにおいて、（１１）には絵型ブック一括作成画面にて選択された情報がセットされており、（１２）は品種マスタ１０６ｂから取得した情報であり、（１３）は品番マスタ１０６ｃから取得した情報であり、（１４）には商品マスタ１０６ｅおよび分類別特性設定マスタ１０６ｆを基に取得したカラーおよびサイズを列挙しており、（１５）は品番コード順に採番した番号である。なお、図８には示していないが、表示順は、品種内で品番コード順に採番した番号であってもよく、この場合、図８の絵型明細データ１０６ｈにおいて、品種コード「ＭＭ００００１」に属する品番コード「ＭＭ０１ＡＡ００２」に対応する表示順は「１」となり、別の品種コード「ＭＭ００００２」に属する品番コード「ＭＭ０２ＡＡ００１」に対応する表示順も「１」となる。
【００６７】
絵型データ作成部１０２ｅは、絵型明細データ１０６ｈと併せて、図８に示す絵型ヘッダデータ１０６ｇを作成してもよい。図８の絵型ヘッダデータ１０６ｇにおいて、（１）は品種マスタ１０６ｂから取得した情報であり（年度およびシーズンはセットされない）、（２）には絵型ブック一括作成画面にて選択された情報がセットされており、（３）には商品にて使用されているカラーおよびサイズを列挙している。
【００６８】
（出力処理）
続いて、オペレータが図６に示す絵型ブック一括作成画面とは別の画面等で、作成した絵型データの出力を指示すると、出力部１０２ｆは以下の処理により作成した絵型データの出力を実行する。
【００６９】
まず、出力部１０２ｆは、品番画像マスタ１０６ｄを参照して、前記作成した絵型データに含まれる品番識別データ（品番コード）に対応する画像データ（画像ファイル）を取得する。
【００７０】
具体的には、出力部１０２ｆは、図８の絵型明細データ１０６ｈにおける品番コード（ＭＭ０１ＡＡ００２）に対応する画像ファイルＡ（図８に示す靴の画像）と、図８の絵型明細データ１０６ｈにおける品番コード（ＭＭ０２ＡＡ００１）に対応する画像ファイルＢ（図示せず）と、を取得する。
【００７１】
次に、出力部１０２ｆは、前記取得した２つの画像ファイルＡおよびＢを、以下のルール１〜３に従って出力する。
１．出力部１０２ｆは、前記取得した２つの画像ファイルＡおよびＢを、作成した図８の絵型明細データ１０６ｈに含まれる品種コード毎に出力する。すなわち、出力部１０２ｆは、図８に示すように、絵型ブックに、品種コード（ＭＭ００００１：ＭＭ０１品種）に属する画像ファイルＡを出力する。一方で、出力部１０２ｆは、図示していないが、前記絵型ブックの別頁に、品種コード（ＭＭ００００２：ＭＭ０２品種）に属する画像ファイルＢを出力する。
２．出力部１０２ｆは、前記取得した２つの画像ファイルＡおよびＢを、前記取得した２つの画像ファイルＡおよびＢに対応する品番コードと紐付く前記作成した絵型明細データ１０６ｈに含まれる表示順に従って出力する。具体的には、前記［２．構成］で説明したように、表示順「１」は絵型ブック上段の左から１マス目に対応しているため、出力部１０２ｆは、図８に示すように、表示順「１」と紐付く品番コード（ＭＭ０１ＡＡ００２）に対応する画像ファイルＡを絵型ブック上段の左から１マス目に出力する。一方で、出力部１０２ｆは、図示していないが、表示順「２」と紐付く品番コード（ＭＭ０２ＡＡ００１）に対応する画像ファイルＢを前記絵型ブックの別頁の上段の左から２マス目に出力する（このため、別頁の上段の左から１マス目は空欄となる）。
３．出力部１０２ｆは、取得した画像ファイルを、前記取得した２つの画像ファイルＡおよびＢに対応する品番コードと紐付く前記作成した絵型明細データ１０６ｈに含まれるカラー番号およびサイズ番号と共に出力する。例えば、出力部１０２ｆは、前記取得した画像ファイルＡを、前記取得した画像ファイルＡに対応する品番コード（ＭＭ０１ＡＡ００２）と紐付く前記作成した絵型明細データ１０６ｈに含まれるカラー番号（０１および０５）およびサイズ番号（０１および０３）と共に、図８に示すように絵型ブックに出力する。なお、図８に示す画像ファイルＡ（靴の画像）の下の格子状のマトリックスにおいて、縦列の０１および０５がカラー番号であり、横列の０１および０３がサイズ番号である。
【００７２】
［３−２．非定番品に関する絵型データ作成処理］
本項目では、非定番品に関する絵型データ作成処理について、図９〜１１を用いて詳細に説明する。例えば、オペレータが以下に示す条件を図９に示す絵型ブック一括作成画面で指定して、「作成」ボタンを選択すると、以下の（品種取得処理）〜（絵型データ作成処理）が実行され絵型データを作成することができる。
（条件）
定番品区分：定番品以外（非定番品）
展示会コード：ＸＸ１６ＡＷＤＯＭ
ブランド：ＸＸ
年度：２０１６
シーズン：秋／冬
国内外区分：国内
【００７３】
（品種取得処理）
まず、品種取得部１０２ａは、品種マスタ１０６ｂを参照して、絵型データ作成画面（絵型ブック一括作成画面）で指定された展示会識別データ（展示会コード）、ブランド識別データ（ブランド）、国内外区分データ（国内外区分）、年度およびシーズンと紐付く品種識別データ（品種コード）を取得する。
【００７４】
具体的には、図１０の品種マスタ１０６ｂ（展示会コードは図示していないが、すべてのレコードが展示会コードＸＸ１６ＡＷＤＯＭを有すると仮定する）を参照すると、指定された展示会コード（ＸＸ１６ＡＷＤＯＭ）、ブランド（ＸＸ）、国内外区分（国内）、年度（２０１６）およびシーズン（秋／冬）を有するレコードは、「指定条件に一致」と記した２行のレコードである。このようにして、品種取得部１０２ａは、当該２つのレコードに含まれる品種コード「ＸＸ００００１」および「ＸＸ００００２」を取得する。
【００７５】
（品番取得処理）
続いて、品番取得部１０２ｂは、詳細な説明は省略するが、前記［３−１］（品番取得処理）での説明と同様の方法で、品番コード「ＸＸ０１ＡＡ００２」、「ＸＸ０１ＡＡ００３」、「ＸＸ０２ＡＡ００１」および「ＸＸ０２ＡＡ００２」を取得する。
【００７６】
（商品取得処理）
続いて、商品取得部１０２ｃは、詳細な説明は省略するが、前記［３−１］（商品取得処理）での説明と同様の方法で、商品コード「ＸＸ０１ＡＡ００２０１０１」、「ＸＸ０１ＡＡ００２０１０３」、「ＸＸ０１ＡＡ００２０５０１」および「ＸＸ０１ＡＡ００２０５０３」を取得する。
【００７７】
（カラー等取得処理）
続いて、カラー等取得部１０２ｄは、詳細な説明は省略するが、前記［３−１］（カラー等取得処理）での説明と同様の方法で、商品コード「ＸＸ０１ＡＡ００２０１０１」、「ＸＸ０１ＡＡ００２０１０３」、「ＸＸ０１ＡＡ００２０５０１」および「ＸＸ０１ＡＡ００２０５０３」と紐付くカラーおよびサイズとして、それぞれ、「カラー０１、サイズ０１」、「カラー０１、サイズ０３」、「カラー０５、サイズ０１」および「カラー０５、サイズ０３」を取得する。
【００７８】
（絵型データ作成処理）
続いて、絵型データ作成部１０２ｅは、詳細な説明は省略するが、前記［３−１］（絵型データ作成処理）での説明と同様の方法で、絵型明細データ１０６ｈを図１１に示すように作成する。
【００７９】
図１１の絵型明細データ１０６ｈにおいて、（３１）には絵型ブック一括作成画面にて選択された情報がセットされており、（３２）は品種マスタ１０６ｂから取得した情報であり、（３３）は品番マスタ１０６ｃから取得した情報であり、（３４）には商品マスタ１０６ｅおよび分類別特性設定マスタ１０６ｆを基に取得したカラーおよびサイズを列挙しており、（３５）は品番コード順に採番した番号である。なお、図示していないが、表示順は、品種内で品番コード順に採番した番号であってもよく、この場合、図８の絵型明細データ１０６ｈにおいて、品種コード「ＸＸ００００１」に属する品番コード「ＸＸ０１ＡＡ００２」および「ＸＸ０１ＡＡ００３」に対応する表示順は、それぞれ、「１」および「２」となり、別の品種コード「ＸＸ００００２」に属する品番コード「ＸＸ０２ＡＡ００１」および「ＸＸ０２ＡＡ００２」に対応する表示順も、それぞれ、「１」および「２」となる。
【００８０】
絵型データ作成部１０２ｅは、絵型明細データ１０６ｈと併せて、図１１に示す絵型ヘッダデータ１０６ｇを作成してもよい。図１１の絵型ヘッダデータ１０６ｇにおいて、（２１）は品種マスタ１０６ｂから取得した情報であり、（２２）には絵型ブック一括作成画面にて選択された情報がセットされており、（２３）には商品にて使用されているカラーおよびサイズを列挙している。
【００８１】
（出力処理）
続いて、オペレータが図９に示す絵型ブック一括作成画面とは別の画面等で、作成した絵型データの出力を指示すると、出力部１０２ｆは以下の処理により作成した絵型データの出力を実行する。
【００８２】
まず、出力部１０２ｆは、品番画像マスタ１０６ｄを参照して、前記作成した絵型データに含まれる品番識別データ（品番コード）に対応する画像データ（画像ファイル）を取得する。
【００８３】
具体的には、出力部１０２ｆは、図１１の絵型明細データ１０６ｈにおける品番コード（ＸＸ０１ＡＡ００２）に対応する画像ファイルＣ（図１１に示すストライプ柄のＴシャツ）と、図１１の絵型明細データ１０６ｈにおける品番コード（ＸＸ０１ＡＡ００３）に対応する画像ファイルＤ（図１１に示す無地のカーディガン）と、図１１の絵型明細データ１０６ｈにおける品番コード（ＸＸ０２ＡＡ００１）に対応する画像ファイルＥ（図示せず）と、図１１の絵型明細データ１０６ｈにおける品番コード（ＸＸ０２ＡＡ００２）に対応する画像ファイルＦ（図示せず）と、を取得する。
【００８４】
次に、出力部１０２ｆは、前記取得した４つの画像ファイルＣ〜Ｆを、以下のルール１〜３に従って出力する。
１．出力部１０２ｆは、前記取得した４つの画像ファイルＣ〜Ｆを、作成した図１１の絵型明細データ１０６ｈに含まれる品種コード毎に出力する。すなわち、出力部１０２ｆは、図１１に示すように、絵型ブックに、品種コード（ＸＸ００００１：ＸＸ０１品種）に属する画像ファイルＣおよびＤを出力する。一方で、出力部１０２ｆは、図示していないが、前記絵型ブックの別頁に、品種コード（ＸＸ００００２：ＸＸ０２品種）に属する画像ファイルＥおよびＦを出力する。
２．出力部１０２ｆは、前記取得した４つの画像ファイルＣ〜Ｆを、前記取得した４つの画像ファイルＣ〜Ｆに対応する品番コードと紐付く前記作成した絵型明細データ１０６ｈに含まれる表示順に従って出力する。具体的には、前記［２．構成］で説明したように、表示順「１」は絵型ブック上段の左から１マス目に対応しているため、出力部１０２ｆは、図１１に示すように、表示順「１」と紐付く品番コード（ＸＸ０１ＡＡ００２）に対応する画像ファイルＣを絵型ブック上段の左から１マス目に出力し、表示順「２」と紐付く品番コード（ＸＸ０１ＡＡ００３）に対応する画像ファイルＤを絵型ブック上段の左から２マス目に出力する。一方で、出力部１０２ｆは、図示していないが、表示順「３」と紐付く品番コード（ＸＸ０２ＡＡ００１）と紐付く画像ファイルＥを前記絵型ブックの別頁の上段の左から３マス目に出力し、表示順「４」と紐付く品番コード（ＸＸ０２ＡＡ００２）と紐付く画像ファイルＦを前記絵型ブックの別頁の上段の左から４マス目に出力する（このため、別頁の上段の左から１マス目および２マス目は空欄となる）。
３．出力部１０２ｆは、取得した画像ファイルを、前記取得した２つの画像ファイルＣ〜Ｆに対応する品番コードと紐付く前記作成した絵型明細データ１０６ｈに含まれるカラー番号およびサイズ番号と共に出力する。例えば、出力部１０２ｆは、前記取得した画像ファイルＣを、前記取得した画像ファイルＣに対応する品番コード（ＸＸ０１ＡＡ００２）と紐付く前記作成した絵型明細データ１０６ｈに含まれるカラー番号（０１および０５）およびサイズ番号（０１および０３）と共に、図１１に示すように絵型ブックに出力する。なお、図１１に示す画像ファイルＣ（ストライプ柄のＴシャツの画像）の下の格子状のマトリックスにおいて、縦列の０１および０５がカラー番号であり、横列の０１および０３がサイズ番号である。
【００８５】
［３−３．品種追加処理］
本項目では、品種追加処理（差分作成処理ともいう）について、図１２および１３を用いて詳細に説明する。
【００８６】
（品種追加処理）
品種追加部１０２ｇ１は、絵型データ作成画面（絵型ブック一括作成画面）で指定された品種識別データ（品種コード）に関する情報を前記作成した絵型データ（絵型ヘッダデータ１０６ｇおよび絵型明細データ１０６ｈ）に追加する。
【００８７】
具体的には、例えば、絵型ヘッダデータ１０６ｇおよび絵型明細データ１０６ｈに新たな品種「ＺＺ００００９」および「ＺＺ０００１０」を追加したい場合、オペレータが図１２に示す絵型ブック一括作成画面で「素材選択」のボタンを選択し、更に、当該選択により開いた画面において「ＺＺ００００９」および「ＺＺ０００１０」に印を入れて「確定」ボタンを選択することにより、品種追加部１０２ｇ１は以下の処理を実行し、品種「ＺＺ００００９」および「ＺＺ０００１０」に関する情報を絵型ヘッダデータ１０６ｇおよび絵型明細データ１０６ｈに追加する。
【００８８】
すなわち、品種追加部１０２ｇ１は、品種マスタ１０６ｂを参照して、選択された品種コードと紐付く展示会コード、ブランド、年度、シーズン、国内外区分、組成情報、納期および原産国を取得する。続いて、品種追加部１０２ｇ１は、品番マスタ１０６ｃを参照して、選択された品種コードと紐付く品番コードおよび定番品区分を取得する。続いて、品種追加部１０２ｇ１は、商品マスタ１０６ｅを参照して、取得した品番コードと紐付く商品コードを取得する。続いて、品種追加部１０２ｇ１は、分類別特性設定マスタ１０６ｆを参照して、取得した商品コードと紐づくカラーおよびサイズを取得する。
【００８９】
品種「ＺＺ００００９」および「ＺＺ０００１０」に関する情報の追加前後それぞれにおける絵型ヘッダデータ１０６ｇおよび絵型明細データ１０６ｈを図１３に示す。図１３の（修正後）において、ハッチングで示した行が、本項目における品種追加処理により追加されたレコードである。
【００９０】
［３−４．品種削除処理］
本項目では、品種削除処理について、図１４および１５を用いて詳細に説明する。
【００９１】
（品種削除処理）
品種削除部１０２ｇ２は、絵型データ登録画面（絵型ブック登録画面）で指定された品種識別データ（品種コード）に関する情報を前記作成した絵型データ（絵型ヘッダデータ１０６ｇおよび絵型明細データ１０６ｈ）から削除する。
【００９２】
具体的には、例えば、絵型ヘッダデータ１０６ｇおよび絵型明細データ１０６ｈから品種「ＺＺ００００９」を削除したい場合、オペレータが図１４に示す絵型ブック登録画面で「素材コード」の右の入力箇所に「ＺＺ００００９」を入力し、更に、画面下段の「取消」ボタンを選択することにより、品種削除部１０２ｇ２は、品種「ＺＺ００００９」に関する情報を絵型ヘッダデータ１０６ｇおよび絵型明細データ１０６ｈから削除する。
【００９３】
品種「ＺＺ００００９」に関する情報の削除前後それぞれにおける絵型ヘッダデータ１０６ｇおよび絵型明細データ１０６ｈを図１５に示す。図１５の（修正前）において、ハッチングで示した行が、本項目における品種削除処理により削除されるレコードであり、図１５の（修正後）において、ハッチングで示した行が、本項目における品種削除処理により削除されたレコードである。
【００９４】
［３−５．品番削除処理および品番表示順変更処理］
本項目では、品番削除処理および品番表示順変更処理について、図１６および１７を用いて詳細に説明する。
【００９５】
（品番削除処理）
品番削除部１０２ｈ１は、絵型データ登録画面（絵型ブック登録画面）で指定された品番識別データ（品番コード）に関する情報を絵型明細データ１０６ｈから削除する。
【００９６】
具体的には、例えば、品種「ＺＺ００００１」から品番「ＺＺ００ＡＡ００２」を削除したい場合、オペレータが図１６に示す絵型ブック登録画面で「素材コード」の右の入力箇所に「ＺＺ００００１」を入力し、更に、画面右に示す太枠で囲んだ箇所において、品番「ＺＺ００ＡＡ００２」の右のチェックボックスにチェックを入れて画面下段の「登録」ボタンを選択することにより、品番削除部１０２ｈ１は、品番「ＺＺ００ＡＡ００２」に関する情報を絵型明細データ１０６ｈから削除する。
【００９７】
品番「ＺＺ００ＡＡ００２」に関する情報の削除前後それぞれにおける絵型明細データ１０６ｈを図１７に示す。図１７の（修正前）において、ハッチングで示した行が、本項目における品番削除処理により削除されるレコードであり、図１７の（修正後）において、ハッチングで示した行が、本項目における品番削除処理により削除されたレコードである。
【００９８】
（表示順変更処理）
表示順変更部１０２ｈ２は、絵型データ登録画面（絵型ブック登録画面）で指定された品番識別データ（品番コード）と紐付く作成した絵型明細データ１０６ｈに含まれる表示順を変更する。
【００９９】
具体的には、例えば、品番「ＺＺ００ＡＡ００５」の表示順「５」と品番「ＺＺ００ＡＡ００６」の表示順「６」を入れ替えたい場合、オペレータが図１６に示す絵型ブック登録画面で「素材コード」の右の入力箇所に「ＺＺ００００１」を入力し、更に、画面右に示す太枠で囲んだ箇所において、品番「ＺＺ００ＡＡ００５」の右のチェックボックスにチェックを入れて「下へ」ボタンを選択し（または、品番「ＺＺ００ＡＡ００６」の右のチェックボックスにチェックを入れて「上へ」ボタンを選択し）、画面下段の「登録」ボタンを選択することにより、表示順変更部１０２ｈ２は、品番「ＺＺ００ＡＡ００５」の表示順「５」と品番「ＺＺ００ＡＡ００６」の表示順「６」を入れ替える。
【０１００】
品番「ＺＺ００ＡＡ００５」の表示順「５」と品番「ＺＺ００ＡＡ００６」の表示順「６」を入れ替えた前後それぞれにおける絵型明細データ１０６ｈを図１７に示す。図１７の（修正後）の絵型明細データ１０６ｈに示すように、品番「ＺＺ００ＡＡ００５」の表示順は「６」に修正されており、品番「ＺＺ００ＡＡ００６」の表示順は「５」に修正されている。
【０１０１】
以上、前記［３−１］〜［３−２］で説明したように、本実施形態に係る絵型データ作成装置１００によれば、絵型を作成する際の元データである絵型データを自動的に作成することにより、絵型作成業務の作業効率を大幅に改善することができる。
【０１０２】
また、前記［３−１］〜［３−２］で説明したように、本実施形態に係る絵型データ作成装置１００によれば、各品番に対応するカラー番号およびサイズ番号も含む絵型データを作成し、絵型ブックとして出力することができる。このため、例えば、展示会にて商品を購入する側は、各カラー番号および各サイズ番号の商品をいくつ欲しいか（受注数）を、絵型ブックの格子状マトリックスに直接書き込むことができる。更に、商品を販売する側は、前記書き込まれた受注数を、格子状マトリックスの表示形式とされたシステムに感覚的に登録することができる。
【０１０３】
そして、前記［３−３］〜［３−５］で説明したように、本実施形態に係る絵型データ作成装置１００によれば、前記作成した絵型データの編集を画面上で行うことができる。このため、例えば、従来のように、商品の外観等を紙に印刷し当該印刷後の紙を絵型ブックに貼り付けることで絵型ブックの編集を行うといったアナログな作業を行う必要がなくなり、絵型編集業務の作業効率を大幅に改善することができる。
【０１０４】
［４．他の実施形態］
本発明は、上述した実施形態以外にも、特許請求の範囲に記載した技術的思想の範囲内において種々の異なる実施形態にて実施されてよいものである。
【０１０５】
例えば、実施形態において説明した各処理のうち、自動的に行われるものとして説明した処理の全部または一部を手動的に行うこともでき、あるいは、手動的に行われるものとして説明した処理の全部または一部を公知の方法で自動的に行うこともできる。
【０１０６】
また、本明細書中や図面中で示した処理手順、制御手順、具体的名称、各処理の登録データや検索条件等のパラメータを含む情報、画面例、データベース構成については、特記する場合を除いて任意に変更することができる。
【０１０７】
また、絵型データ作成装置１００に関して、図示の各構成要素は機能概念的なものであり、必ずしも物理的に図示の如く構成されていることを要しない。
【０１０８】
例えば、絵型データ作成装置１００が備える処理機能、特に制御部１０２にて行われる各処理機能については、その全部または任意の一部を、ＣＰＵおよび当該ＣＰＵにて解釈実行されるプログラムにて実現してもよく、また、ワイヤードロジックによるハードウェアとして実現してもよい。尚、プログラムは、本実施形態で説明した処理を情報処理装置に実行させるためのプログラム化された命令を含む一時的でないコンピュータ読み取り可能な記録媒体に記録されており、必要に応じて絵型データ作成装置１００に機械的に読み取られる。すなわち、ＲＯＭまたはＨＤＤ（Ｈａｒｄ  Ｄｉｓｋ  Ｄｒｉｖｅ）などの記憶部などには、ＯＳと協働してＣＰＵに命令を与え、各種処理を行うためのコンピュータプログラムが記録されている。このコンピュータプログラムは、ＲＡＭにロードされることによって実行され、ＣＰＵと協働して制御部を構成する。
【０１０９】
また、このコンピュータプログラムは、絵型データ作成装置１００に対して任意のネットワークを介して接続されたアプリケーションプログラムサーバに記憶されていてもよく、必要に応じてその全部または一部をダウンロードすることも可能である。
【０１１０】
また、本実施形態で説明した処理を実行するためのプログラムを、一時的でないコンピュータ読み取り可能な記録媒体に格納してもよく、また、プログラム商品として構成することもできる。ここで、この「記録媒体」とは、メモリーカード、ＵＳＢ（Ｕｎｉｖｅｒｓａｌ  Ｓｅｒｉａｌ  Ｂｕｓ）メモリ、ＳＤ（Ｓｅｃｕｒｅ  Ｄｉｇｉｔａｌ）カード、フレキシブルディスク、光磁気ディスク、ＲＯＭ、ＥＰＲＯＭ（Ｅｒａｓａｂｌｅ  Ｐｒｏｇｒａｍｍａｂｌｅ  Ｒｅａｄ  Ｏｎｌｙ  Ｍｅｍｏｒｙ）、ＥＥＰＲＯＭ（登録商標）（Ｅｌｅｃｔｒｉｃａｌｌｙ  Ｅｒａｓａｂｌｅ  ａｎｄ  Ｐｒｏｇｒａｍｍａｂｌｅ  Ｒｅａｄ  Ｏｎｌｙ  Ｍｅｍｏｒｙ）、ＣＤ−ＲＯＭ（Ｃｏｍｐａｃｔ  Ｄｉｓｋ  Ｒｅａｄ  Ｏｎｌｙ  Ｍｅｍｏｒｙ）、ＭＯ（Ｍａｇｎｅｔｏ−Ｏｐｔｉｃａｌ  ｄｉｓｋ）、ＤＶＤ（Ｄｉｇｉｔａｌ  Ｖｅｒｓａｔｉｌｅ  Ｄｉｓｋ）、および、Ｂｌｕ−ｒａｙ（登録商標）  Ｄｉｓｃ等の任意の「可搬用の物理媒体」を含むものとする。したがって、本明細書で説明したような処理又は処理方法を実行するためのプログラムを格納した記録媒体もまた本発明を構成することとなる。
【０１１１】
また、「プログラム」とは、任意の言語または記述方法にて記述されたデータ処理方法であり、ソースコードまたはバイナリコード等の形式を問わない。なお、「プログラム」は必ずしも単一的に構成されるものに限られず、複数のモジュールやライブラリとして分散構成されるものや、ＯＳに代表される別個のプログラムと協働してその機能を達成するものをも含む。なお、実施形態に示した各装置において記録媒体を読み取るための具体的な構成および読み取り手順ならびに読み取り後のインストール手順等については、周知の構成や手順を用いることができる。
【０１１２】
記憶部１０６に格納される各種のデータベース等は、ＲＡＭ、ＲＯＭ等のメモリ装置、ハードディスク等の固定ディスク装置、フレキシブルディスク、および、光ディスク等のストレージ手段であり、各種処理やウェブサイト提供に用いる各種のプログラム、テーブル、データベース、および、ウェブページ用ファイル等を格納する。
【０１１３】
また、絵型データ作成装置１００は、既知のパーソナルコンピュータまたはワークステーション等の情報処理装置として構成してもよく、また、任意の周辺装置が接続された当該情報処理装置として構成してもよい。また、絵型データ作成装置１００は、当該装置に本実施形態で説明した処理を実現させるソフトウェア（プログラムまたはデータ等を含む）を実装することにより実現してもよい。
【０１１４】
更に、装置の分散・統合の具体的形態は図示するものに限られず、その全部または一部を、各種の付加等に応じてまたは機能負荷に応じて、任意の単位で機能的または物理的に分散・統合して構成することができる。すなわち、上述した実施形態を任意に組み合わせて実施してもよく、実施形態を選択的に実施してもよい。
【産業上の利用可能性】
【０１１５】
本発明は、例えば、アパレルブランド業界およびアクセサリー業界等に代表される展示会を開催する業界において有用である。
【符号の説明】
【０１１６】
１００  絵型データ作成装置
１０２  制御部
１０２ａ  品種取得部
１０２ｂ  品番取得部
１０２ｃ  商品取得部
１０２ｄ  カラー等取得部
１０２ｅ  絵型データ作成部
１０２ｆ  出力部
１０２ｇ  品種編集部
１０２ｇ１  品種追加部
１０２ｇ２  品種削除部
１０２ｈ  品番編集部
１０２ｈ１  品番削除部
１０２ｈ２  表示順変更部
１０４  通信インターフェース部
１０６  記憶部
１０６ａ  品種分類マスタ
１０６ｂ  品種マスタ
１０６ｃ  品番マスタ
１０６ｄ  品番画像マスタ
１０６ｅ  商品マスタ
１０６ｆ  分類別特性設定マスタ
１０６ｇ  絵型ヘッダデータ
１０６ｈ  絵型明細データ
１０８  入出力インターフェース部
１１２  入力装置
１１４  出力装置
２００  サーバ
３００  ネットワーク
【図１】
2019028842.tif 000003
【図２】
2019028842.tif 000004
【図３】
2019028842.tif 000005
【図４】
2019028842.tif 000006
【図５】
2019028842.tif 000007
【図６】
2019028842.tif 000008
【図７】
2019028842.tif 000009
【図８】
2019028842.tif 000010
【図９】
2019028842.tif 000011
【図１０】
2019028842.tif 000012
【図１１】
2019028842.tif 000013
【図１２】
2019028842.tif 000014
【図１３】
2019028842.tif 000015
【図１４】
2019028842.tif 000016
【図１５】
2019028842.tif 000017
【図１６】
2019028842.tif 000018
【図１７】
2019028842.tif 000019